(57)【要約】      （修正有）【課題】吸気の際の空気の流れを分散し、フィルタの変形を防ぎ、フィルタ全体を使用しやすくできる防じんマスクを提供する。【解決手段】防じんマスク８は、微粒子状物質を除去するフィルタ２と、フィルタを収容し、フィルタの背面に吸気孔３２を有するケース３と、ケースに嵌合されてフィルタの前面を覆うカバー１と、吸気孔に接続されて顔面に接触する面体６と、吸気孔の前面側かつフィルタの背面側に、空気の流れを分散する分散プレート５と、を備える。分散プレートには、複数の通気孔が配置され、前面には、放射状に複数のリブが設けられている。【選択図】図２
0003198463.tif 000002
【実用新案登録請求の範囲】
【請求項１】
防じんマスクであって、
微粒子状物質を除去するフィルタと、
前記フィルタを収容するケースであって、前記フィルタの背面に吸気孔を有する、ケースと、
前記ケースに嵌合されて前記フィルタの前面を覆うカバーと、
前記ケースの前記吸気孔に接続されて顔面に接触する面体と、
前記吸気孔の前面側かつ前記フィルタの背面側に、空気の流れを分散する分散プレートと、を備えることを特徴とする、防じんマスク。
【請求項２】
前記分散プレートには、複数の通気孔が配置されていることを特徴とする、請求項１に記載された防じんマスク。
【請求項３】
前記分散プレートの前面には、放射状に複数のリブが設けられていることを特徴とする、請求項２に記載された防じんマスク。
【請求項４】
前記分散プレートの前面において、前記複数のリブによって区画された複数の領域には、前記通気孔を有しない領域があるとともに、前記分散プレートの中央に前記通気孔が配置されていることを特徴とする、請求項３に記載された防じんマスク。
【請求項５】
前記ケースと前記面体とを連結する連結リングであって、前記ケースの前記吸気孔に嵌め込まれて前記面体に螺合する連結リングをさらに備え、前記分散プレートは、前記連結リングの前面側に取り付けられることを特徴とする、請求項１乃至請求項４のいずれか一項に記載された防じんマスク。
【考案の詳細な説明】
【技術分野】
【０００１】
本考案は、防じんマスクに関するものである。
【背景技術】
【０００２】
一般に、防じんマスクは、微粒子状物質が浮遊する環境下において、微粒子状物質を除去することによって人体を保護することを目的としている。防じんマスクは、取替え式のフィルタを備えた（取替え式）防じんマスクと使い捨て型の（使い捨て式）防じんマスクの２種類に大別される。
【０００３】
このうち、例えば特許文献１の取替え式のフィルタを備えた防じんマスクでは、フィルタのケース前面を透明にすることによって、フィルタを適切に装着することができ、かつ、フィルタの交換時期を適切に判断できる技術が開示されている。
【先行技術文献】
【特許文献】
【０００４】
【特許文献１】特開２００６−１２２１４６号公報
【考案の概要】
【考案が解決しようとする課題】
【０００５】
しかしながら、特許文献１の取替え式のフィルタを備えたマスクでは、ケースの後面に吸気孔を設けているところ、吸気孔にフィルタが吸い付けられるように変形する可能性があった。このため吸気孔近傍で集中的に空気を吸い込むこととなり、フィルタ面積全体を使用しにくくなるおそれがあった。
【０００６】
そこで、本考案は、吸気の際の空気の流れを分散することのできる防じんマスクを提供することを目的としている。
【課題を解決するための手段】
【０００７】
前記目的を達成するために、本考案の防じんマスクは、微粒子状物質を除去するフィルタと、前記フィルタを収容するケースであって、前記フィルタの背面に吸気孔を有する、ケースと、前記ケースに嵌合されて前記フィルタの前面を覆うカバーと、前記ケースの前記吸気孔に接続されて顔面に接触する面体と、前記吸気孔の前面側かつ前記フィルタの背面側に、空気の流れを分散する分散プレートと、を備えることを特徴としている。
【考案の効果】
【０００８】
このように、本考案の防じんマスクは、フィルタと、吸気孔を有するケースと、カバーと、面体と、吸気孔の前面側かつフィルタの背面側に、空気の流れを分散する分散プレートと、を備えている。このため、分散プレートによってフィルタの変形を防止するとともに、吸気孔正面からの空気の流れを分散することによって、吸気の際の空気の流れを分散することができる。
【図面の簡単な説明】
【０００９】
【図１】防じんマスクのフィルタを取り外した状態の斜視図である。
【図２】防じんマスクの分解斜視図である。
【図３】連結リングの斜視図である。
【図４】分散プレートの斜視図である。
【図５】防じんマスクの作用を説明する説明図である。
【考案を実施するための形態】
【００１０】
以下、本考案の実施の形態について図面を参照して説明する。
【実施例】
【００１１】
（構成）
まず、図２の分解図を用いて本考案の防じんマスク８の全体構成を説明する。本考案の防じんマスク８は、図２に示すように、微粒子状物質を除去するフィルタ２と、フィルタ２を収容するケース３であって、フィルタ２の背面に吸気孔３２を有する、ケース３と、ケース３に嵌合されてフィルタ２の前面を覆うカバー１と、ケース３の吸気孔３２に接続されて顔面に接触する面体６と、を備えている。そして、ケース３を面体６に連結するための連結リング４には、吸気孔３２の前面側かつフィルタ２の背面側に、空気の流れを分散する分散プレート５が取り付けられている。
【００１２】
フィルタ２は、エレクトレット化処理された繊維層（不織布層）を有する複層構造の静電フィルタである。静電フィルタであるフィルタ２は、「ふるい効果」、「慣性衝突効果」、「静電引力効果」などによって微粒子状物質を捕集する。静電引力効果は、帯電している微粒子状物質を、相反する静電気によって引き合わせて繊維に付着させる。
【００１３】
ケース３は、合成樹脂（例えば、ポリプロピレン）によって形成されるもので、開いたコ字状に形成された本体３１と、本体３１の中央上部に設けた吸気孔３２と、本体３１の両側縁上下に配置された掛止爪３３、・・・と、カバー１（後述）がスライドしつつ嵌合するスライド縁３４と、本体３１の両側縁下部に配置された回動軸３５、３５と、本体３１の板面に略均等に配置された小突起３６、・・・と、を一体に備えている。さらに、本体３１の両側縁の中央には、スライダ３７が前後方向に摺動自在に取り付けられている。小突起３６は、ケース３とフィルタ２の間に隙間を作るために設けられる。なお、ケース３は、透明であってもよいが、不透明であってもよい。
【００１４】
カバー１は、合成樹脂（例えば、ポリプロピレン）によって透明又は半透明に形成されるもので、通気孔１１、１１と、複数の小突起１２、・・・と、ケース３の回動軸３５が挿通されるヒンジ孔１３と、両端上下に配置されたスライド溝１４と、を一体に備えている。小突起１２、・・・は、カバー１とフィルタ２の間に隙間を作るために設けられる。
【００１５】
ケース３とカバー１とは、回動軸３５とヒンジ孔１３とを介して連結されており、図１、２に示すように、回動軸３５を中心として相対的に回転する。さらに、ヒンジ孔１３は、前後方向に所定の長さを有するため、ケース３にカバー１を重ねた状態で、所定の長さ分だけカバー１をスライド移動させることができる。そして、ケース３にカバー１を嵌合させた状態で、ケース３のスライダ３７をスライドさせて両者が固定される。
【００１６】
面体６は、着用者の口及び鼻を覆うように顔面に接触する接顔体６１と、ケース３の吸気孔３２に接続される吸気口６２と、呼気を排出するための排気口６３と、を備える。この他、図示しないが、面体６は逆止弁である吸気弁及び排気弁を備えている。さらに、面体６の側面には、着用者の頭部に掛け回されるしめひも７が連結されている。吸気口６２の周囲には螺合溝が形成されている。
【００１７】
連結リング４は、図３に示すように、合成樹脂によって全体として円環状に形成されるものであり、内面に螺合溝４１と、一端部を拡径したつば部４２と、つば部４２の前面に配置される円筒状の４つの取付ボス４３、・・・と、を備える。そして、つば部４２をケース３に嵌合させた状態で、螺合溝４１を面体６の吸気口６２の周囲の螺合溝に螺合させることで、ケース３と面体６とが連結される。すなわち、連結リング４のつば部４２によってケース３を接顔部６に押えつけるようにして両者が連結される。
【００１８】
取付ボス４３の高さは、分散プレート５と連結リング４の間の４つの隙間の合計面積が、吸気孔３２の面積よりも広くなるように設定される。加えて、取付ボス４３の高さは、フィルタ２が分散プレート５に押されてカバー１に過度に押し付けられないような高さに設定される。なお、取付ボス４３の本数は、４つに限定されるものではなく、３つでもよいし、５つ以上でもよい。
【００１９】
分散プレート５は、図４に示すように、合成樹脂によって全体として円板状に形成されるものであり、後面に連結リング４の取付ボス４３、・・・に嵌合される４つの円柱状の取付軸５１、・・・を備え、前面に８つのリブ５２、・・・を備え、板面には周囲の４つの通気孔５３、・・・と中央の通気孔５４とが貫通形成されている。
【００２０】
リブ５２は、円周角にして４５度ずつずらされて放射状に形成されている。リブ５２は、円板の周縁から中央近傍まで延びているが、互いに繋がってはいない。すなわち、中央に設けた通気孔５４まで達することなく途中で終端となる。リブ５２によって区画された８つの領域のうち、４つの領域には通気孔５３が存在するが、残りの４つの領域には通気孔５３が存在しない。リブ５２の高さは、特別に限定されるものではないが、例えば分散プレート５の厚み程度に形成することができる。
【００２１】
通気孔５３は、円周角にして９０度ずつずらされて４つ貫通形成されている。通気孔５３は、リブ５２によって区画された領域の中央近傍に配置される。一方、通気孔５４は、円板状の分散プレート５の中央に貫通形成される。周囲の通気孔５３と中央の通気孔５４は、同一の径とされる。なお、周囲の通気孔５３と中央の通気孔５４は異なる径に形成することもできる。通気孔５３、５４の位置及び径は、限定されるものではなく、必要に応じて変えることができる。
【００２２】
そして、ケース３と面体６とを組み合わせた状態では、図１に示すように、連結リング４の前面に分散プレート５が装着されている。つまり、吸気孔３２には連結リング４が嵌合されており、この吸気孔３２の正面に分散プレート５が配置されている。したがって、フィルタ２を配置した状態では、吸気孔３２の正面を覆うように分散プレート５が位置し、分散プレート５の前面にフィルタ２が接触配置されている。すなわち、フィルタ２と吸気孔３２の間に分散プレート５が介在している。
【００２３】
（作用）
次に、図５を用いて、本実施例の防じんマスク８の吸気の際の空気の流れについて説明する。以下では「フィルタ支持作用」、「整流作用」、「圧力分散作用」に分けて説明する。
【００２４】
まず、フィルタ支持作用について説明する。背景技術の項でも説明したように、従来のマスクでは、吸気孔に３２フィルタ２が吸い付けられるように変形する可能性があったが、分散プレート５によってフィルタ２を支持することで変形を防止できる。このため、吸気孔３２内にフィルタ２が吸い込まれるように変形するおそれはない。したがって、吸気孔３２と分散プレート５との間には、取付ボス４３の高さに相当する隙間が形成される。
【００２５】
次に、整流作用について説明する。図４、５に示すように、分散プレート５の前面にリブ５２を形成することによって、フィルタ２と分散プレート５の間にわずかな隙間が形成される。この隙間は、リブ５２によって区画されているため、分散プレート５上の空気の流れは、リブ５２に沿って放射状に流れるようになる。中央へ向かって流れる空気は中央の通気孔５４を通じて吸気孔３２へ流入する。さらに、周囲へ向かって流れる空気の一部は、分散プレート５と吸気孔３２の隙間を回り込むように吸気孔３２へ流入する。周囲へ向かって流れる空気の一部は、通気孔５３を通じて吸気孔３２へ流入する。
【００２６】
次に、圧力分散作用について説明する。上述のフィルタ支持作用・整流作用と相まって、吸気の際の負圧は、フィルタ２の下流側（顔に近い側）に均等に分散するようになる。すなわち、フィルタ２の背面（下流側、顔に近い側）には、略均等に負圧が作用するようになり、フィルタ２面積全体で微粒子状物質を捕集することができるようになる。さらに、このように圧力が分散されることにより、分散プレート５の前面にフィルタ２が吸い付けられて通気孔５３、・・・、５４が閉塞されることを防止できる。
【００２７】
（効果）
次に、本実施例の防じんマスク８の奏する効果について説明する。
【００２８】
（１）上述してきたように、本実施例の防じんマスク８は、微粒子状物質を除去するフィルタ２と、フィルタ２を収容するケース３であって、フィルタ２の背面に吸気孔３２を有する、ケース３と、ケース３に嵌合されてフィルタ２の前面を覆うカバー１と、ケース３の吸気孔３２に接続されて顔面に接触する面体６と、吸気孔３２の前面側かつフィルタ２の背面側に、空気の流れを分散する分散プレート５と、を備えている。このような構成によれば、分散プレート５によってフィルタ２の変形を防止するとともに、吸気孔３２正面からの空気の流れを分散することによって、吸気の際の空気の流れを分散することができる。
【００２９】
（２）分散プレート５には、複数の通気孔５３、・・・、５４が配置されていることで、分散プレート５の板面を通じて吸気することが可能となる。さらに、圧力を分散する効果によって、フィルタ２全体で微粒子状物質を除去することができるようになる。
【００３０】
（３）分散プレート５の前面には、放射状に複数のリブ５２、・・・が設けられていることで、分散プレート５の前面にフィルタ２が張り付くことを抑制しつつ、空気を整流して吸気孔３２に誘導することができる。さらに、フィルタ２との間に隙間が形成されることにより、圧力を分散できるため、フィルタ２全体で微粒子状物質を除去することができるようになる。
【００３１】
（４）分散プレート５の前面において、複数のリブ５２、・・・によって区画された複数の領域には、通気孔５３を有しない領域があるとともに、分散プレート５の中央に通気孔５４が配置されている。このような構成によって、分散プレート５の通気孔５３から過度に吸気することなく、フィルタ２全体で微粒子状物質を除去することができるようになる。
【００３２】
（５）ケース３と面体６とを連結する連結リング４であって、ケース３の吸気孔３２に嵌め込まれて面体６に螺合する連結リング４をさらに備え、分散プレート５は、連結リング４の前面側に取り付けられる。このような構成によって、ケース３の構成を特別に改造することなく、既存のケース３に改造した連結リング４を取り付けることによって、容易に分散プレート５を取り付けることができるようになる。
【００３３】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３４】
８          防じんマスク
１          カバー
２          フィルタ
３          ケース
３２        吸気孔
４          連結リング
４３        取付ボス
５          分散プレート
５１        取付軸
５２        リブ
５３、５４  通気孔
６          面体６
７          しめひも
【図１】
0003198463.tif 000003
【図２】
0003198463.tif 000004
【図３】
0003198463.tif 000005
【図４】
0003198463.tif 000006
【図５】
0003198463.tif 000007